(57)【要約】【課題】非常に扱い易く操作性に秀れ尚且つ量産性やコスト性にも秀れた画期的な調理用鍋蓋の提供。【解決手段】把手部１の中央側端部に蓋本体２の中央部に形成した注水用通孔２ａと連通する注水口３を設け、この注水口３を開閉自在に閉塞する開閉体４を、この把手部１の上面部の中央側端部からスライドガイド部５に沿って外縁側端部に向けてスライド移動することで注水口３を閉塞状態から開口状態とするように構成し、前記把手部１は一対の分割部材１Ａ，１Ｂを互いに重合状態に組み付け固定して成る構成とし、この一対の分割部材１Ａ，１Ｂの互いに対向する位置に夫々ガイド溝５Ａ，５Ｂを形成し、この一対の対向ガイド溝５Ａ，５Ｂにより前記スライドガイド部５を構成し、この一対の対向ガイド溝５Ａ，５Ｂに開閉体４の両側縁部を夫々嵌合しこの対向ガイド溝５Ａ，５Ｂに沿って開閉体４をスライド移動自在に抜け止め保持するように構成する。【選択図】図１
2008148863.tif 000002
【特許請求の範囲】
【請求項１】
把手部の少なくとも中央側端部を蓋本体の中央部に取り付け固定すると共に、この把手部の外縁側端部を蓋本体の外縁部に取り付け固定するか若しくはこの蓋本体の外縁部の上方に配し、この蓋本体の上面部に把手部を設けた構成とし、この把手部の中央側端部には蓋本体の中央部に形成した注水用通孔と連通する注水口を設けると共に、この注水口を開閉自在に閉塞する開閉体をこの把手部の上面部の中央側端部からスライドガイド部に沿って外縁側端部に向けてスライド移動自在に設け、この開閉体を把手部の中央側端部から外縁側端部に向けてスライド移動することで前記注水口を閉塞状態から開口状態とし得るように構成し、前記把手部は、この把手部の中央側端部から外縁側端部に至る長さ方向に沿って引線した分割境界線を境にこの把手部を幅方向に二分割して成る一対の分割部材を、互いに重合状態に組み付け固定して成る構成とすると共に、この一対の分割部材の互いに対向する位置に夫々ガイド溝を形成し、この一対の対向ガイド溝により前記スライドガイド部を構成し、この一対の対向ガイド溝に前記開閉体の両側縁部を夫々嵌合しこの対向ガイド溝に沿って開閉体をスライド移動自在に抜け止め保持するように前記スライドガイド部を構成したことを特徴とする調理用鍋蓋。
【請求項２】
前記把手部のスライドガイド部は、この把手部を構成する一対の分割部材の長さ方向にコ字溝状のガイド溝を互いに開口側を対向状態に形成して成る構成としたことを特徴とする請求項１記載の調理用鍋蓋。
【請求項３】
前記把手部を構成する一対の分割部材の一端部に夫々、螺着部半体を設け、この一対の分割部材を重合状態に組み付けることで前記一対の螺着部半体によって形成される円筒状の螺着部を前記把手部の中央側端部に下方突出状態に設けた構成とし、この螺着部を前記前記蓋本体の注水用通孔に挿通すると共に、この注水用通孔の内面に形成した螺合部に螺着固定する，若しくはこの蓋本体の下面側から前記螺着部の外面部に被嵌状態に環状の螺合部を螺着固定することでこの把手部の中央側端部を蓋本体の中央部に取り付け固定した構成としたことを特徴とする請求項１，２のいずれか１項に記載の調理用鍋蓋。
【請求項４】
前記開閉体は、両側縁部を前記スライドガイド部の対向ガイド溝に嵌合し得る板厚に設定された板状に構成すると共にこの板状の開閉体の板上面部から上方に突出状態に、指を掛けて開閉体をスライド操作するための操作用指掛け部を形成したことを特徴とする請求項１〜３のいずれか１項に記載の調理用鍋蓋。
【請求項５】
前記把手部を構成する一対の分割部材のうち一方の分割部材の重合面に凹部を凹設し、この凹部に圧入嵌合して凹凸係合する凸部をもう一方の分割部材の重合面に凸設し、この一対の分割部材の重合面を重合状態にして凹部と凸部との凹凸係合によりこの一対の分割部材を組み付け固定した構成としたことを特徴とする請求項１〜４のいずれか１項に記載の調理用鍋蓋。
【請求項６】
前記把手部を構成する一対の分割部材は、ガイド溝を樹脂により一体成形した樹脂成形品としたことを特徴とする請求項１〜５のいずれか１項に記載の調理用鍋蓋。
【発明の詳細な説明】
【技術分野】
【０００１】
本発明は、例えばフライパンや鍋などの加熱調理容器に被せて使用する調理用鍋蓋に関するものである。
【背景技術】
【０００２】
この種の調理用鍋蓋としては、従来から様々なものが提案されている。
【０００３】
例えば、特許文献１に開示されるように、フライパンや鍋などの加熱調理容器（以下、単に容器と呼ぶ）の上方に調理用鍋蓋を被せたまま、この調理用鍋蓋の蓋本体の中央部に設けた開閉自在な注水口を開いて、この注水口から例えば差し水や各種調味料などを容器内に簡単に注ぎ入れられるように構成した調理用鍋蓋（以下、従来例）が提案されている。通常、加熱調理中に容器に水や調味料を入れたい場合、この容器に被せた調理用鍋蓋を開け外して水や調味料を入れる為、その際に容器から熱気が逃げ、容器内の温度が一気に下がってしまうという問題があるが、この点、前述した従来例によれば、容器に調理用鍋蓋を被せた状態のまま前記注水口から水や調味料を注ぎ入れることができる為、熱を逃がさず良好に加熱調理を実施でき非常に便利である。
【０００４】
【特許文献１】特許第３５０４６３６号公報
【発明の開示】
【発明が解決しようとする課題】
【０００５】
しかしながら、この種の注水口を設けた調理用鍋蓋は、その注水口に対して起伏回動自在に開閉蓋を設け、この開閉蓋の起伏回動操作によって注水口を閉塞状態から開口状態に操作する構造を採用しており、この開閉蓋を軸着する軸着構造がどうしても必要となるだけに、それだけ複雑構成となりまた部品点数も多く製造が厄介でコストも高いなどの欠点を有した。
【０００６】
本発明は、このような問題点に鑑み、製造が面倒な軸着構造を排し、把手部の上面部をスライド移動する開閉体のスライド操作によって注水口の開閉操作を行うスライド構造を採用することで、調理用鍋蓋の把手部を握った手の親指による押し引き動でスライド体を簡単にスライド開閉操作でき、非常に扱い易く、しかも簡易構造で部品点数も少なく済み製造も極めて容易で量産性に秀れそれだけ低コストに製造実現可能など、実用性に秀れた画期的な調理用鍋蓋を提供することを課題とする。
【課題を解決するための手段】
【０００７】
添付図面を参照して本発明の要旨を説明する。
【０００８】
把手部１の少なくとも中央側端部を蓋本体２の中央部に取り付け固定すると共に、この把手部１の外縁側端部を蓋本体２の外縁部に取り付け固定するか若しくはこの蓋本体２の外縁部の上方に配し、この蓋本体２の上面部に把手部１を設けた構成とし、この把手部１の中央側端部には蓋本体２の中央部に形成した注水用通孔２ａと連通する注水口３を設けると共に、この注水口３を開閉自在に閉塞する開閉体４をこの把手部１の上面部の中央側端部からスライドガイド部５に沿って外縁側端部に向けてスライド移動自在に設け、この開閉体４を把手部１の中央側端部から外縁側端部に向けてスライド移動することで前記注水口３を閉塞状態から開口状態とし得るように構成し、前記把手部１は、この把手部１の中央側端部から外縁側端部に至る長さ方向に沿って引線した分割境界線を境にこの把手部１を幅方向に二分割して成る一対の分割部材１Ａ，１Ｂを、互いに重合状態に組み付け固定して成る構成とすると共に、この一対の分割部材１Ａ，１Ｂの互いに対向する位置に夫々ガイド溝５Ａ，５Ｂを形成し、この一対の対向ガイド溝５Ａ，５Ｂにより前記スライドガイド部５を構成し、この一対の対向ガイド溝５Ａ，５Ｂに前記開閉体４の両側縁部を夫々嵌合しこの対向ガイド溝５Ａ，５Ｂに沿って開閉体４をスライド移動自在に抜け止め保持するように前記スライドガイド部５を構成したことを特徴とする調理用鍋蓋に係るものである。
【０００９】
また、前記把手部１のスライドガイド部５は、この把手部１を構成する一対の分割部材１Ａ，１Ｂの長さ方向にコ字溝状のガイド溝５Ａ，５Ｂを互いに開口側を対向状態に形成して成る構成としたことを特徴とする請求項１記載の調理用鍋蓋に係るものである。
【００１０】
また、前記把手部１を構成する一対の分割部材１Ａ，１Ｂの一端部に夫々、螺着部半体８ａ，８ｂを設け、この一対の分割部材１Ａ，１Ｂを重合状態に組み付けることで前記一対の螺着部半体８ａ，８ｂによって形成される円筒状の螺着部８を前記把手部１の中央側端部に下方突出状態に設けた構成とし、この螺着部８を前記前記蓋本体２の注水用通孔２ａに挿通すると共に、この注水用通孔２ａの内面に形成した螺合部９に螺着固定する，若しくはこの蓋本体２の下面側から前記螺着部８の外面部に被嵌状態に環状の螺合部９を螺着固定することでこの把手部１の中央側端部を蓋本体２の中央部に取り付け固定した構成としたことを特徴とする請求項１，２のいずれか１項に記載の調理用鍋蓋に係るものである。
【００１１】
また、前記開閉体４は、両側縁部を前記スライドガイド部５の対向ガイド溝５Ａ，５Ｂに嵌合し得る板厚に設定された板状に構成すると共にこの板状の開閉体４の板上面部から上方に突出状態に、指を掛けて開閉体４をスライド操作するための操作用指掛け部４ａを形成したことを特徴とする請求項１〜３のいずれか１項に記載の調理用鍋蓋に係るものである。
【００１２】
また、前記把手部１を構成する一対の分割部材１Ａ，１Ｂのうち一方の分割部材１Ａの重合面に凹部７を凹設し、この凹部７に圧入嵌合して凹凸係合する凸部６をもう一方の分割部材１Ｂの重合面に凸設し、この一対の分割部材１Ａ，１Ｂの重合面を重合状態にして凹部７と凸部６との凹凸係合によりこの一対の分割部材１Ａ，１Ｂを組み付け固定した構成としたことを特徴とする請求項１〜４のいずれか１項に記載の調理用鍋蓋に係るものである。
【００１３】
また、前記把手部１を構成する一対の分割部材１Ａ，１Ｂは、ガイド溝５Ａ，５Ｂを樹脂により一体成形した樹脂成形品としたことを特徴とする請求項１〜５のいずれか１項に記載の調理用鍋蓋に係るものである。
【発明の効果】
【００１４】
本発明は上述のように構成したから、例えばフライパンや鍋などの容器上に、蓋本体を被せた状態としたままこの蓋本体の上面部の把手部の中央側端部に設けた注水口を開口してこの注水口から前記容器内へと差し水や各種調味料を注ぎ入れることができる。
【００１５】
また、把手部の上面部のスライドガイド部に沿ってスライド移動自在な開閉体を、この把手部の中央側端部から外縁側端部に向けてスライド移動させるだけの簡単な操作で前記注水口を閉塞状態から開口状態に切替え可能で、よって、例えば把手部を握る手の親指などで開閉体を押し動或いは引き動してスライド移動させる簡単な操作で注水口の開閉操作を行うことができ非常に扱い易く操作性に秀れた構成である。
【００１６】
また、この種の調理用鍋蓋においては、如何に大量製造に向いた構造とするかが量産性やコスト性の観点から重要であるが、本発明によれば、上記従来例のように製造が厄介となる軸着構造を採用せず、単にガイド溝を有する分割部材同志を重合状態に組み付け固定したシンプルな構成の把手部とし、更にこの把手部の各分割部材に有する一対の対向ガイド溝により開閉体を抜け止め保持しつつこの対向ガイド溝に沿って開閉体をスライド移動自在に構成したシンプルな構造としている為、それだけ簡易製造可能で量産性やコスト性にも秀れる。
【００１７】
よって、本発明は、非常に扱い易く注水口の開閉操作を簡単に行えるスライド構造を、簡易製造可能なシンプルな構成により実現し、よって、操作性や作業性に秀れ且つ量産性やコスト性にも極めて秀れる画期的で商品価値の高い調理用鍋蓋となる。
【００１８】
また、請求項２記載の発明においては、本発明のスライドガイド部を、一対のコ字溝状の対向ガイド溝により簡易に実現でき、より一層簡易に設計実現可能で実用性に秀れた調理用鍋蓋となる。
【００１９】
また、請求項３記載の発明においては、蓋本体と把手部の中央側端部との取り付け固定を、把手部の螺着部と螺合部との螺着操作により簡単且つ確実に達成でき、一層量産性に秀れた構成となる。また、この把手部の螺着部と前記螺合部との螺着固定により、螺着部を構成する一対の螺着部半体同志が固定されて一対の分割部材同志の重合固定も達成されることとなり、組み付け作業性に秀れた一層実用性に秀れた調理用鍋蓋となる。
【００２０】
また、請求項４記載の発明においては、開閉体に設けた操作用指掛け部に、例えば把手部を握った手の親指を掛けるなどして開閉体のスライド移動操作を一層良好に行うことができ、非常に扱い易くより操作性に秀れた調理用鍋蓋となる。
【００２１】
また、請求項５記載の発明においては、把手部を構成する一対の分割部材の重合面を重合状態に配するだけで、この各分割部材に凸設若しくは凹設した凸部若しくは凹部同志が圧入嵌合状態に凹凸係合することとなり、よって一対の分割部材を重合状態に組み付けするだけで、前記凹凸係合によりこの一対の分割部材同志が前記組み付け状態に固定される組み付け性に秀れた構成を簡易構造で実現しており、一層量産性及び実用性に秀れた調理用鍋蓋となる。
【００２２】
また、請求項６記載の発明においては、把手部を構成する一対の分割部材は、開閉体のスライド開閉構造を実現するための前記ガイド溝を、この各分割部材を樹脂成形する際にこれら分割部材に一体成形して設けた構成とし、これにより例えば型抜き成形などの量産性に秀れた製造方法により分割部材及びガイド溝を一体成形でき、簡易に量産化が可能で一層量産性やコスト性に秀れた調理用鍋蓋となる。
【発明を実施するための最良の形態】
【００２３】
好適と考える本発明の実施形態（発明をどのように実施するか）を、図面に基づいて本発明の作用を示して簡単に説明する。
【００２４】
蓋本体２の上面部には、把手部１の少なくとも中央側端部を蓋本体２の中央部に取り付け固定すると共に、この把手部１の外縁側端部を蓋本体２の外縁部に取り付け固定するか若しくはこの蓋本体２の外縁部の上方に配して把手部１を設けている。この把手部１を握るなどして蓋本体２を手に取ることができる。
【００２５】
また、蓋本体２の中央部には注水用通孔２ａを形成しており、この注水用通孔２ａと連通する注水口３を前記把手部１の中央側端部に設けている。
【００２６】
この注水口３は、把手部１の上面部の中央側端部からスライドガイド部５に沿って開閉体４を把手部１の外縁側端部にスライド移動せしめることで閉塞状態から開放状態とすることができる。即ち、把手部１の中央側端部に位置する開閉体４により注水口３が閉塞され、この開閉体４をスライドガイド部５に沿ってスライド移動せしめる（前記閉塞位置から退避移動させる）ことで注水口３を開口状態とすることができる。
【００２７】
従って、本発明は、例えばフライパンや鍋などの所定の加熱調理容器に蓋本体２を被せた状態のまま、開口状態とした注水口３から前記蓋本体２の注水用通孔２ａを介して前記加熱調理容器内へと差し水や調味料などを注ぎ入れることができる。
【００２８】
また、この注水口３の開閉操作は、スライドガイド部５に沿って開閉体４を把手部１の上面部をスライド移動させるだけで簡単に行える。即ち、この把手部１を握る手の親指などをこの開閉体４に掛けて押し引き動するなどして簡単に操作でき非常に扱い易く操作性に秀れることとなる。
【００２９】
しかも、このスライドガイド部５を備えた把手部１は、スライドガイド部５を構成する対向ガイド溝５Ａ，５Ｂのうちの一方のガイド溝５Ａを有する分割部材１Ａと、もう一方のガイド溝５Ｂを有する分割部材１Ｂとを、重合状態に組み付け固定しただけの簡単な組み付け構造としている。また、この把手部１のスライドガイド部５の一対の対向ガイド溝５Ａ，５Ｂに開閉体４の両側縁部を夫々嵌合することでこの開閉体４を対向ガイド溝５Ａ，５Ｂに沿ってスライド移動自在に抜け止め保持している。
【００３０】
本発明は、このように一対の分割部材１Ａ，１Ｂと、その各ガイド溝５Ａ，５Ｂに嵌合状態に開閉体４を組み付ける非常にシンプルな構造によって操作性に秀れ前記注水口３を簡単操作で開閉できるスライド開閉構造を実現している。従って、例えば後述の実施例のように、この把手部１を構成する一対の分割部材１Ａ，１Ｂは樹脂成形品とすると共にこの各分割部材１Ａ，１Ｂの樹脂成形時にガイド溝５Ａ，５Ｂも一体に成形した構成とすることで簡易に量産することも可能で、この点、量産性やコスト性においても極めて秀れることとなる。
【実施例】
【００３１】
本発明の具体的な実施例について図面に基づいて説明する。
【００３２】
本実施例は、例えばフライパンや鍋などの加熱調理容器に被せて使用する調理用鍋蓋であって、把手部１の少なくとも中央側端部を蓋本体２の中央部に取り付け固定すると共に、この把手部１の外縁側端部を蓋本体２の外縁部に取り付け固定するか若しくはこの蓋本体２の外縁部の上方に配し、この蓋本体２の上面部に把手部１を設けた構成とし、この把手部１の中央側端部には蓋本体２の中央部に形成した注水用通孔２ａと連通する注水口３を設けると共に、この注水口３を開閉自在に閉塞する開閉体４をこの把手部１の上面部の中央側端部からスライドガイド部５に沿って外縁側端部に向けてスライド移動自在に設け、この開閉体４を把手部１の中央側端部から外縁側端部に向けてスライド移動することで前記注水口３を閉塞状態から開口状態とし得るように構成している。
【００３３】
本実施例の構成を具体的に説明する。
【００３４】
図示した本実施例は、フライパンに被せて使用する。
【００３５】
蓋本体２は、図２，３に図示したように、通常の鍋蓋と同様、フライパンの上部開口縁に当接係止してこの開口縁上に載置し得る逆さ碗状（皿状）に構成すると共に、その上部中央部に注水用通孔２ａを形成している。
【００３６】
また、この蓋本体２をフライパンに被せた状態のままフライパン内を視認できるように、蓋本体２の外縁部側と中央部側とは別部材を連設して成る構成と摺ると共に中央部側部材は透明ガラス製としている。
【００３７】
また、後述の把手部１の外縁側端部を取り付け固定するための止着ネジ10を挿通するネジ挿通孔11を外縁部側に形成している。
【００３８】
本実施例の把手部１は、図２及び図３に図示したように、Ｃ字状若しくはＵ字状に湾曲した形状にしてその一端側（外縁側端部）の上面部には、図６に図示したように本実施例の調理用鍋蓋を立ち置き状態とするための支持突部12を形成しており、この支持突部12は、突端部が平坦辺に形成されており、この把手部１を蓋本体２に取り付け固定した状態でこの蓋本体２の外縁部と把手部１の支持突部12の平坦辺を接地面に接地せしめることで、図６に図示したように蓋本体２を立ち置き状態に設置できるように構成したものである。
【００３９】
また、この把手部１は、図１に図示したように一対の分割部材１Ａ，１Ｂから成る構成としている。
【００４０】
詳述すると、この把手部１の中央側端部から外縁側端部に至る長さ方向に沿って引線した分割境界線を境にこの把手部１を幅方向に二分割して成る一対の分割部材１Ａ，１Ｂを、互いに重合状態に組み付け固定して成る構成としている。図４に図示したように、把手部１を、正面視において幅方向中央部を鉛直方向に分断し、その左右の半体を夫々分割部材１Ａ，１Ｂとする。
【００４１】
また、この分割部材１Ａ，１Ｂの重合面にして互いに対向する位置にガイド溝５Ａ，５Ｂを形成しており、この一対の対向ガイド溝５Ａ，５Ｂにより把手部１のスライドガイド部５を構成する。このガイド溝５Ａ，５Ｂは、一対の分割部材１Ａ，１Ｂの長さ方向（把手部１の長さ方向、即ち把手部１の中央側端部から外縁側端部に至る方向）に、図４に図示したような断面略コ字型のコ字溝状のガイド溝５Ａ，５Ｂを互いに開口側を対向状態に形成して成る構成としている。
【００４２】
従って、この一対の分割部材１Ａ，１Ｂを互いに重合状態に組み付けると、図２に図示したように、把手部１の上面部の一部が他の部位と面一ではなく凹没した凹没上面部がこの把手部１の長さ方向に凹設され、且つこの凹没上面部の幅方向両側の上端に内側に向け突出状態に顎部を形成して、平断面視において図４に図示したようにこの凹没上面部の幅方向両側（図４中、左右両側）にコ字溝状のガイド溝５Ａ，５Ｂが互いの開口側を対向状態に形成されるように構成したものである。
【００４３】
また、図１及び図５に図示したように、この把手部１のスライドガイド部５と開閉体４とのスライド摺動面でもある把手部１の前記凹没上面部の一部から下方に向けて注水口３を連設した構成としている。
【００４４】
開閉体４は、両側縁部をこのスライドガイド部５のコ字溝状の対向ガイド溝５Ａ，５Ｂに嵌合し得る板厚に設定された板状に構成すると共に、この板状の開閉体４の板上面部から上方に突出状態に、指を掛けて開閉体４をスライド操作するための操作用指掛け部４ａを形成した構成である。具体的には、図４に図示したように、開閉体４の両側縁部は他の部位より肉薄に形成しており、肉薄側縁部を対向ガイド溝５Ａ，５Ｂに夫々嵌合することでこの肉薄部以外の部位は前記把手部１の上面部と略面一となるように肉厚設定すると共に、この開閉体４の一部、把手部１の外縁側端部に近い端縁に操作用指掛け部４ａを上方突出状態に形成している。
【００４５】
この開閉体４の両側縁部を、把手部１の一対の対向ガイド溝５Ａ，５Ｂに夫々嵌合し、この対向ガイド溝５Ａ，５Ｂに沿って開閉体４をスライド移動自在に抜け止め保持するように前記スライドガイド部５を構成している。
【００４６】
従って、把手部１を握る手の親指を開閉体４の操作用指掛け部４ａに掛けるなどして、図３に図示したように開閉体４をスライドガイド部５に沿ってスライド操作、即ち注水口３の開閉操作を操作性良く良好に行うことができる。
【００４７】
また更に、本実施例においては、図４に図示したように、ガイド溝５Ａ，５Ｂに嵌合する開閉体４の両側縁部がガイド溝５Ａ，５Ｂと略合致する形状としガイド溝５Ａ，５Ｂに対して開閉体４はやや圧入状態に嵌合し、ガイド溝５Ａ，５Ｂの内面と開閉体４の側縁部とが圧接するように設定している。この双方の圧接による摺動摩擦力によりスライドガイド部５に対して開閉体４のフリーストップを実現している。即ち、この摺動摩擦力の作用により、開閉体４を操作する指や手をこの開閉体４から離しても、開閉体４が自重により下方側に勝手にスライド下動することがなく、スライドガイド部５に対して開閉体４を所望の位置にスライド移動させてその位置に確実にスライド停止しておくことができるフリーストップ構造を簡単な構成で実現している。
【００４８】
更に詳述すると、把手部１は、この把手部１と蓋本体２の上面部との間に手を潜らせるスペースを設けるべく、蓋本体２の中央部から上方に伸びた後Ｃ字状若しくはＵ字状に湾曲して下方に伸びて蓋本体２の外縁部に到達するアーチ形状に形成しているので、この把手部１の長さ方向に沿って形成するスライドガイド部５は、当然、把手部１の中央側端部から外縁側端部に向かう所定位置まで上り状態に形成されている。従って、上述したフリーストップ構造がない場合、開閉体４をスライドガイド部５に沿って上方に（即ち中央側端部から外縁側端部に向けて）スライド移動させて注水口３をせっかく開口させても、この開閉体４から手を離すと自重により開閉体４が下動し注水口３を閉塞状態としてしまい非常に作業性が悪いが、本実施例においては手を離しても開閉体４が所望の位置にフリーストップするから例えば図５に図示したように開閉体４を注水口３に対して開口位置に保持させてこの開口状態の注水口３から水や調味料などを注ぎ入れる作業も良好に行える。
【００４９】
また、本実施例の把手部１を構成する一対の分割部材１Ａ，１Ｂの一端部（外縁側端部）には夫々螺着部半体８ａ，８ｂを設けている。これは、半円筒状の下方突出部の外周部にネジ山を形成している。この一対の分割部材１Ａ，１Ｂを重合状態に組み付けることで、半円筒状の螺着部半体８ａ，８ｂ同志から成る円筒状の螺着部８を前記把手部１の中央側端部に下方突出状態に設けた構成としている。この円筒状に下方に突出する螺着部８の上部開口縁を、この把手部１の注水口３の開口縁とする。
【００５０】
本実施例の把手部１と蓋本体２との取り付け構造を説明する。
【００５１】
図２及び図３に図示したように、把手部１の中央側端部に下方突出状態に設けた円筒状の前記螺着部８を、前記前記蓋本体２の中央部の注水用通孔２ａに挿通する。この注水用通孔２ａを挿通して蓋本体２の下面側に突出した前記螺着部８の外周面に環状の螺合部９（ナット）を被嵌状態に螺着固定することでこの把手部１の中央側端部を蓋本体２の中央部に取り付け固定している。尚、注水用通孔２ａを肉厚に形成してこの注水用通孔２ａの内面に形成した螺合部９（ネジ山）に螺着部８を螺着固定する構成としても良い。
【００５２】
従って、把手部１の中央側端部が蓋本体２に取り付け固定されると共に、把手部１の一対の分割部材１Ａ，１Ｂに夫々設けた螺着部半体８ａ，８ｂが螺合部９により締結されてこの分割部材１Ａ，１Ｂ同志の重合固定も為されることとなる。
【００５３】
尚、この把手部１の中央側端部は前述の通り蓋本体２の中央部に取り付け固定する一方、この把手部１の外縁側端部は蓋本体２の外縁部上方に単に配した構成としても良いし、この蓋本体２の外縁部に固定しても良いが、図示した本実施例においては、図１〜図３に図示したように、把手部１の外縁側端部に相当する一対の分割部材１Ａ，１Ｂの外縁側端部の取付孔14に螺着板13を圧入嵌合して装着すると共に、前記蓋本体２の下面側からこの蓋本体２の外縁部のネジ挿通孔11に挿通した止着ネジ10を前記螺着板13に螺着してこの止着ネジ10と螺着板13との締付力により把手部１の外縁側端部を蓋本体２の外延部に締結固定した構成としている。
【００５４】
また、本実施例では、前記把手部１を構成する一対の分割部材１Ａ，１Ｂのうち一方の分割部材１Ａの重合面にして中央側端部寄り位置と外縁側端部寄り位置の二箇所に凹部７を凹設し、この凹部７に圧入嵌合して凹凸係合する凸部６をもう一方の分割部材１Ｂの重合面の対応する二箇所の位置に凸設している。
【００５５】
従って、この一対の分割部材１Ａ，１Ｂの重合面を重合状態に組み付けるだけで、凹部７と凸部６とが互いに凹凸係合し、この一対の分割部材１Ａ，１Ｂが組み付け固定されることとなる。
【００５６】
本実施例では、把手部１を構成する一対の分割部材１Ａ，１Ｂは、いずれも型抜き成形した樹脂製品としている。即ち、型抜き成形により、分割部材１Ａ，１Ｂのガイド溝５Ａ，５Ｂや凹部７，凸部６や取付孔14及び注水口３の片側半円部分を構成する半円柱状の凹部，螺着部反対８ａを、樹脂により一体成形した構成としている。
【００５７】
また、開閉体４も型抜き成形した樹脂成形品としている。
【００５８】
以上のように構成した本実施例は、図５に図示したように、フライパンの上に蓋本体２を被せた状態のまま、開閉体４をスライド移動操作し、把手部１の中央側端部に設けた注水口３を開口せしめ、この開口した注水口３からフライパンに水や調味料などを注ぎ入れることが可能である。
【００５９】
この注水口３を開閉する操作は開閉体４の操作用指掛け部４ａに把手部１を握る手の親指などを掛けて簡単に操作性良く行うことができ、またこの操作する指や手を離しても開閉体４が勝手にスライド移動することなくフリーストップすることで非常に扱い易く操作性に秀れた調理用鍋蓋である。
【００６０】
しかもこのような非常に扱い易く注水口３の開閉操作を簡単且つ良好に行えるスライド開閉構造を、簡易製造可能なシンプルな構成により実現し、ガイド溝５Ａ，５Ｂを一体成形した樹脂成形品である分割部材１Ａ，１Ｂと、樹脂成形した開閉体４とを組み付けるだけで上記の秀れたスライド開閉構造を実現し、量産性やコスト性にも極めて秀れた構成としている。
【００６１】
尚、本発明は、本実施例に限られるものではなく、各構成要件の具体的構成は適宜設計し得るものである。
【図面の簡単な説明】
【００６２】
【図１】本実施例に係る調理用鍋蓋の把手部１の説明分解図である。
【図２】本実施例に係る調理用鍋蓋の把手部１と蓋本体２との取り付け固定構造を示す説明分解斜視図である。
【図３】本実施例に係る調理用鍋蓋の説明側断面図である。
【図４】本実施例に係る調理用鍋蓋の把手部１の要部説明正断面図である。
【図５】本実施例に係る調理用鍋蓋の使用状態を示す図である。
【図６】本実施例に係る調理用鍋蓋を立て置きした状態を示す図である。
【符号の説明】
【００６３】
１  把手部
１Ａ  分割部材
１Ｂ  分割部材
２  蓋本体
２ａ  注水用通孔
３  注水口
４  開閉体
４ａ  操作用指掛け部
５  スライドガイド部
５Ａ  ガイド溝
５Ｂ  ガイド溝
６  凸部
７  凹部
８  螺着部
８ａ  螺着半体
８ｂ  螺着半体
９  螺合部
【図１】
2008148863.tif 000003
【図２】
2008148863.tif 000004
【図３】
2008148863.tif 000005
【図４】
2008148863.tif 000006
【図５】
2008148863.tif 000007
【図６】
2008148863.tif 000008